(57)【特許請求の範囲】
【請求項１】
バッグ本体（１）を構成する二枚の合成樹脂シートの残余部を互いに重ね合わせ、差込口（４ａ）を開口させて周囲を溶着することにより差込空間（４）を形成し、この差込空間（４）を形成する二枚の合成樹脂シートの何れか一方に差込口（４ａ）から切り込みを入れて合成樹脂シ−トの内側にこの切り込み部分を折り返すことにより、差込空間（４）に適度な空間を持たせ、バッグ本体（１）の下部に連結した排尿用チューブ（２）の先端部（２ａ）を前記差込空間（４）に差し込んだものとしたことを特徴とする採尿バッグ。
【請求項２】
バッグ本体（１）を構成する二枚の合成樹脂シートの残余部を互いに重ね合わせ、差込口（４ａ）を開口させて周囲を溶着することにより差込空間（４）を形成し、この差込空間（４）を形成する二枚の合成樹脂シートの何れか一方に差込口（４ａ）から切り込みを入れて合成樹脂シ−トの内側にこの切り込み部分を折り返すことにより、差込空間（４）に適度な空間を持たせ、バッグ本体（１）の下部に連結した排尿用チューブ（２）の先端部（２ａ）を前記差込空間（４）に差し込んだものとし、さらに前記バッグ本体（１）を構成する二枚の合成樹脂シ−トの残余部を互いに重ね合わせ、差込口（７ａ）を開口させて周囲を溶着することにより差込空間（７）を形成し、バッグ本体（１）の上部に連結した導尿用チューブ（６）の先端部（６ａ）を前記差込空間（７）に差し込んだものとしたことを特徴とする採尿バッグ。
【請求項３】
前記差込空間（７）が、二枚の合成樹脂シートの何れか一方に、差込口（７ａ）から切り込みを入れて合成樹脂シ−トの内側にこの切り込み部分を折り返すことにより、差込空間（７）に適度な空間を持たせたものであることを特徴とする請求項２記載の採尿バッグ。
【発明の詳細な説明】
【０００１】
【発明の属する技術分野】
この発明は、患者の体内に挿入された尿道留置カテーテル等より排出される尿を、採取するようにした採尿バッグに関するものである。
【０００２】
【従来の技術】
従来、この種の採尿バッグは、図３に示すように、二枚の合成樹脂シートを互いに重ね合わせ、溶着してバッグ本体１を構成しており、その下部には軟質の排尿用チューブ２を連結している。そして、この排尿用チューブ２は、スライドクランプ３により開閉自在とされており、保管時等に汚染されないようにするため、その先端部２ａをバッグ本体１の下方に形成した差込空間４に差し込んでいる。
【０００３】
前記差込空間４は、バッグ本体１を構成する二枚の合成樹脂シートの残余部を互いに重ね合わせ、差込口４ａを開口させて周囲を溶着することにより、バッグ本体１の下方に形成している。そのため、この差込空間４の差込口４ａは、二枚の合成樹脂シートが隙間無く重なりあってしまうので、このままの状態では軟質の排尿用チューブ２の先端部２ａが差し込み難いので、あらかじめ差込口４ａから差込空間４内に短尺の硬質チューブ８を差し込んで、差込口４ａを開口した状態に維持しておき、この差込口４ａから硬質チューブ８内を通過させて、差込空間４に前記排尿用チューブ２の先端部２ａを差し込んでいる。
【０００４】
また、前記バッグ本体１の上部には、尿滴下用のドリップチェンバー５を介して、軟質の導尿用チューブ６を連結している。そして、この導尿用チューブ６も、保管時等に汚染されないようにするため、その先端部６ａにキャップ９を被せている。
【０００５】
前記キャップ９は、透明または不透明の合成樹脂成形品よりなり、図示したような導尿用チューブ６の先端部６ａを被うのに好ましい細長形状としており、必要に応じて嵌め込み構造を備えたものとしている。
【０００６】
【発明が解決しようとする課題】
したがって、上記従来の採尿バッグでは、排尿用チューブ２の先端部２ａをバッグ本体１の下方に形成した差込空間４に差し込むために、短尺の硬質チューブ８を差込口４ａから差込空間４内に差し込むという作業が必要となり、しかも部品点数が増えるので、製造コストが高くつくという課題を有していた。
【０００７】
また、上記従来の採尿バッグでは、導尿用チューブ６の先端部６ａに被せているキャップ９は、嵌め込み構造を備えたものとした場合であっても保管時等に抜け落ちて紛失してしまうことがあったり、さらに部品点数が増えるので、製造コストが高くつくという課題を有していた。
【０００８】
そこで、この発明は、上記従来の課題を解決するためになされたものであり、前記短尺の硬質チューブ８を用いないでも、排尿用チューブ２の先端部２ａをバッグ本体１の下方に形成した差込空間４に簡単に差し込めるようにし、さらに前記キャップ９を用いないでも、導尿用チューブ６の先端部６ａを汚染しないようにすることにより、部品点数を減らし、製造コストの低減を図った採尿バッグを提供することを目的としてなされたものである。
【０００９】
【課題を解決するための手段】
そのため、この発明の採尿バッグは、バッグ本体１を構成する二枚の合成樹脂シートの残余部を互いに重ね合わせ、差込口４ａを開口させて周囲を溶着することにより差込空間４を形成し、この差込空間４を形成する二枚の合成樹脂シートの何れか一方に差込口４ａから切り込みを入れて合成樹脂シ−トの内側にこの切り込み部分を折り返すことにより、差込空間４に適度な空間を持たせ、バッグ本体１の下部に連結した排尿用チューブ２の先端部２ａを前記差込空間４に差し込んだものとしている。
【００１０】
さらに、この発明の採尿バッグは、バッグ本体１を構成する二枚の合成樹脂シートの残余部を互いに重ね合わせ、差込口４ａを開口させて周囲を溶着することにより差込空間４を形成し、この差込空間４を形成する二枚の合成樹脂シートの何れか一方に差込口４ａから切り込みを入れて合成樹脂シ−トの内側にこの切り込み部分を折り返すことにより、差込空間４に適度な空間を持たせ、バッグ本体１の下部に連結した排尿用チューブ２の先端部２ａを前記差込空間４に差し込んだものとし、さらに前記バッグ本体１を構成する二枚の合成樹脂シ−トの残余部を互いに重ね合わせ、差込口７ａを開口させて周囲を溶着することにより差込空間７を形成し、バッグ本体１の上部に連結した導尿用チューブ６の先端部６ａを前記差込空間７に差し込んだものとしてもよい。
【００１１】
そして、前記差込空間７は、二枚の合成樹脂シートの何れか一方に、差込口７ａから切り込みを入れて合成樹脂シ−トの内側にこの切り込み部分を折り返すことにより、差込空間７に適度な空間を持たせたものとすることができる。
【００１２】
【発明の実施の形態】
以下、この発明の採尿バッグの実施の形態を、図面に基づいて詳細に説明する。
【００１３】
図１は、この発明の採尿バッグの斜視図を示しており、二枚の合成樹脂シートを互いに重ね合わせ、溶着してバッグ本体１を構成しており、その下部には排尿用チューブ２を連結している。この排尿用チューブ２は、スライドクランプ３により開閉自在とされており、保管時等に汚染されないようにするため、その先端部２ａをバッグ本体１の下方に形成した差込空間４に差し込んでいる。
【００１４】
前記二枚の合成樹脂シートを互いに重ね合わせて溶着するには、合成樹脂シートの材質が、軟質塩化ビニルである場合には高周波溶着が好ましく、ポリエチレンである場合には熱溶着が好ましいが、溶着方法は特に限定されるものではない。
【００１５】
前記差込空間４は、図２に拡大して示すように、バッグ本体１を構成する二枚の合成樹脂シートの下方残余部を互いに重ね合わせ、差込口４ａを開口させて周囲を溶着することにより、バッグ本体１の下方に形成している。さらに、この差込空間４を形成する二枚の合成樹脂シートの何れか一方に、差込口４ａから切り込みを入れて合成樹脂シートの内側にこの切り込み部分を折り返してから、前記バッグ本体１の下部に連結した排尿用チューブ２の先端部２ａをこの差込空間４に差し込んだものとしている。すなわち、前記差込空間４は、差込口４ａの切り込み部分を折り返すことにより、適度な空間を持つことになり、排尿用チューブ２の先端部２ａの差し込みが容易なものとなる。なお、前記切り込みは、図示したものでは直線形状しているが、折れ線形状であっても、曲線形状であってもよく、特に限定されるものではない。また、前記切り込みは、差込空間４を形成する二枚の合成樹脂シートの双方に入れて合成樹脂シートの内側にこれらの切り込み部分を折り返してから、前記バッグ本体１の下部に連結した排尿用チューブ２の先端部２ａをこの差込空間４に差し込んだものとしてもよい。
【００１６】
さらに、前記バッグ本体１の上部には、尿滴下用のドリップチェンバー５を介して、導尿用チューブ６が連結されている。この導尿用チューブ６は、保管時等に汚染されないようにするため、その先端部６ａをバッグ本体１の下方に形成した差込空間７に差し込んでいる。
【００１７】
前記差込空間７は、バッグ本体１を構成する二枚の合成樹脂シートの下方残余部を互いに重ね合わせ、差込口７ａを開口させて周囲を溶着することにより、バッグ本体１の下方に形成している。なお、この差込空間７も、図示していないが、前記差込空間４と同様の構成として、導尿用チューブ６の先端部６ａの差し込みを容易なものとすることができる。
【００１８】
【発明の効果】
この発明の採尿バッグは、以上に述べたように構成されているため、従来の採尿バッグのように短尺の硬質チューブを用いないでも、排尿用チューブの先端部をバッグ本体に形成した差込空間に簡単に差し込めるようになったので、作業工程を簡略化すると共に部品点数を減らすことができ、製造コストの低減を図ることができるものとなった。
【００１９】
さらに、この発明の採尿バッグは、従来の採尿バッグのようにキャップを用いないでも、導尿用チューブの先端部を汚染しないようにすることができるので、部品点数を減らすことができ、製造コストの低減を図ることができるものとなった。
【図面の簡単な説明】
【図１】この発明の採尿バッグの全体斜視図である。
【図２】この発明の採尿バッグのバッグ本体の下方に形成した差込空間に排尿用チューブを差し込んだ状態を示す説明図である。
【図３】従来の採尿バッグの全体斜視図である。
【符号の説明】
１  バッグ本体
２  排尿用チューブ
２ａ  先端部
４  差込空間
４ａ  差込口
６  導尿用チューブ
６ａ  先端部
７  差込空間
７ａ  差込口
【図１】
0003988154.tif 000002
【図２】
0003988154.tif 000003
【図３】
0003988154.tif 000004